(57)【要約】  アウターロータ型回転電機（１）は、円筒形状を有する回転子（７）と、回転子（７）の中央に固定されて回転子（７）の中心軸に沿って延びる軸（３）と、回転子（７）を内部に収容する外郭と、軸（３）の外径よりも大きな内径を有する固定子中心孔（４ａ）が回転子（７）の中心軸と同軸に形成されて、回転子（７）の内側に配置される固定子鉄心（４）と、を備える。また、アウターロータ型回転電機（１）は、固定子中心孔（４ａ）内に回転子（７）の中心軸と同軸に固定される円盤部品と、円盤部品に保持される電気電子部品と、を備える。
2020066117.tif 000002
【特許請求の範囲】
【請求項１】
円筒形状を有する回転子と、
前記回転子の中央に固定されて前記回転子の中心軸に沿って延びる軸と、
前記回転子を内部に収容する外郭と、
前記軸の外径よりも大きな内径を有する固定子中心孔が前記回転子の中心軸と同軸に形成されて、前記回転子の内側に配置される固定子鉄心と、
前記固定子中心孔内に前記回転子の中心軸と同軸に固定される円盤部品と、
前記円盤部品に保持される電気電子部品と、
を備えることを特徴とするアウターロータ型回転電機。
【請求項２】
前記円盤部品は、前記回転子の中心軸と同軸に形成された円盤中心孔と、前記円盤中心孔の内周に沿って延びる第１支持部と、前記円盤部品の外周に沿って延びる第２支持部と、を備え、
前記軸は、前記円盤中心孔および前記第１支持部に圧入固定またはカシメ固定により固定されることで、前記円盤部品に固定されており、
前記円盤部品は、前記固定子中心孔に圧入固定またはカシメ固定により固定されることで、前記固定子鉄心に固定されていること、
を特徴とする請求項１に記載のアウターロータ型回転電機。
【請求項３】
前記第１支持部は、前記軸の外径寸法と同じ内径寸法を有し、
前記第２支持部は、前記固定子中心孔の内径寸法と同じ外径寸法を有すること、
を特徴とする請求項２に記載のアウターロータ型回転電機。
【請求項４】
前記電気電子部品が保持された前記固定子中心孔が、複数の前記円盤部品により閉鎖されていること、
を特徴とする請求項１から３のいずれか１つに記載のアウターロータ型回転電機。
【請求項５】
請求項１から４のいずれか１つに記載のアウターロータ型回転電機と、
前記アウターロータ型回転電機の駆動を受けて回転する翼部と、
を備えることを特徴とする天井扇風機。
【発明の詳細な説明】
【技術分野】
【０００１】
本発明は、固定子の外周側に回転子を備えるアウターロータ型回転電機および天井扇風機に関する。
【背景技術】
【０００２】
電動機および発電機などの回転電機は軸、軸受、固定子、回転子および外郭を備えて構成されている。また、回転電機のうちアウターロータ型回転電機は、外郭の内部において内側に固定子を備え、固定子の外周側に回転子を備える。アウターロータ型回転電機は、天井扇風機などの用途に広く用いられている。【０００３】
このようなアウターロータ型回転電機は、駆動を補助する電気電子部品を備えている。電気電子部品が回転電機の外郭の外部に取付けられる場合には、回転電機の外郭とは別に電気電子部品用の外郭が必要となり、外郭の部品点数が増加し、組み立て作業に手間が掛かる。【０００４】
特許文献１には、回転電機の外郭の内部空間が回転子の中心軸方向に拡張され、拡張された内部空間に電気電子部品が内蔵された電動機が開示されている。特許文献１に開示された電動機は、回転電機の外郭の内部に電気電子部品が収納されるため、電気電子部品用の外郭が不要であり、電気電子部品の収納に起因して外郭の部品点数が増加することがない。
【先行技術文献】
【特許文献】
【０００５】
【特許文献１】特許第４３５４１９３号公報
【発明の概要】
【発明が解決しようとする課題】
【０００６】
しかしながら、上記特許文献１に開示された電動機は、電気電子部品を電動機の外郭に内蔵するため、回転子等の回転物と電気電子部品との接触を防ぐ必要がある。このため、特許文献１に開示された電動機は、回転電機の外郭の内部に電気電子部品を収納するために大きな空間を設ける必要があり、回転電機が大型化してしまう、という問題があった。【０００７】
本発明は、上記に鑑みてなされたものであって、電気電子部品の収納に起因して外郭の部品点数が増加することがなく小型化が可能なアウターロータ型回転電機を得ることを目的とする。
【課題を解決するための手段】
【０００８】
上述した課題を解決し、目的を達成するために、本発明にかかるアウターロータ型回転電機は、円筒形状を有する回転子と、回転子の中央に固定されて回転子の中心軸に沿って延びる軸と、回転子を内部に収容する外郭と、軸の外径よりも大きな内径を有する固定子中心孔が回転子の中心軸と同軸に形成されて、回転子の内側に配置される固定子鉄心と、を備える。また、アウターロータ型回転電機は、固定子中心孔内に回転子の中心軸と同軸に固定される円盤部品と、円盤部品に保持される電気電子部品と、を備える。
【発明の効果】
【０００９】
本発明によれば、電気電子部品の収納に起因して外郭の部品点数が増加することがなく小型化が可能なアウターロータ型回転電機が得られる、という効果を奏する。
【図面の簡単な説明】
【００１０】
【図１】本発明の実施の形態１にかかるアウターロータ型回転電機の斜視図
【図２】本発明の実施の形態１にかかるアウターロータ型回転電機の断面図であり、図１における線分ＩＩ−ＩＩに沿った縦断面図
【図３】本発明の実施の形態１にかかるアウターロータ型回転電機の内部構造を示す斜視図
【図４】本発明の実施の形態１にかかるアウターロータ型回転電機における軸と固定子鉄心と第１円盤部品とが組み立てられた状態を示す斜視図
【図５】本発明の実施の形態１にかかるアウターロータ型回転電機の固定子鉄心の上面図
【図６】本発明の実施の形態１にかかるアウターロータ型回転電機の軸と第１円盤部品とが組み立てられた状態を示す斜視図
【図７】本発明の実施の形態１にかかるアウターロータ型回転電機の第１円盤部品の斜視図
【図８】図４に示す第１円盤部品の一面上に回転電機の駆動を補助する電気電子部品が実装された状態を示す斜視図
【図９】図８に示す固定子鉄心の固定子中心孔が全閉状態とされた状態を示す断面図
【図１０】本発明の実施の形態２にかかる天井扇風機を示す側面図
【発明を実施するための形態】
【００１１】
以下に、本発明の実施の形態にかかるアウターロータ型回転電機および天井扇風機を図面に基づいて詳細に説明する。なお、この実施の形態によりこの発明が限定されるものではない。
【００１２】
実施の形態１．
図１は、本発明の実施の形態１にかかるアウターロータ型回転電機１の斜視図である。図２は、本発明の実施の形態１にかかるアウターロータ型回転電機１の断面図であり、図１における線分ＩＩ−ＩＩに沿った縦断面図である。図３は、本発明の実施の形態１にかかるアウターロータ型回転電機１の内部構造を示す斜視図である。図４は、本発明の実施の形態１にかかるアウターロータ型回転電機１における軸３と固定子鉄心４と第１円盤部品５とが組み立てられた状態を示す斜視図である。図５は、本発明の実施の形態１にかかるアウターロータ型回転電機１の固定子鉄心４の上面図である。図６は、本発明の実施の形態１にかかるアウターロータ型回転電機１の軸３と第１円盤部品５とが組み立てられた状態を示す斜視図である。図７は、本発明の実施の形態１にかかるアウターロータ型回転電機１の第１円盤部品５の斜視図である。
【００１３】
本実施の形態１にかかるアウターロータ型回転電機１は、回転子７が固定子鉄心４の外周側で回る回転電機である。以下、アウターロータ型回転電機１を回転電機１と呼ぶ。回転電機１は、回転電機１の外郭を構成する第１外郭フレーム２ａと第２外郭フレーム２ｂとを備える。また、回転電機１は、第１外郭フレーム２ａと第２外郭フレーム２ｂとで構成される外郭の内部に、軸３、固定子鉄心４、第１円盤部品５、第１軸受６ａ、第２軸受６ｂおよび回転子７を、回転電機１の回転軸と同軸上に備える。すなわち、第１外郭フレーム２ａ、第２外郭フレーム２ｂ、軸３の一部、固定子鉄心４、第１円盤部品５、第１軸受６ａ、第２軸受６ｂおよび回転子７の各々の中心軸は、回転電機１の回転軸と同軸である。外郭は、回転子７を含む回転電機１を内部に収容する。
【００１４】
第１外郭フレーム２ａおよび第２外郭フレーム２ｂは、一方の底面側が開口された円筒形状を有する。第１外郭フレーム２ａおよび第２外郭フレーム２ｂは、各々における開口された面を向かい合わせて組み合わされて回転電機１の外郭を構成する。第１外郭フレーム２ａは、第１軸受６ａを保持可能な第１ハウジング２ｃを円筒形状の底面部に備え、回転子７を保持可能な第１円筒部２ｅを外周部に備え、回転電機１の構成部を覆うことが可能な空間を備える。第２外郭フレーム２ｂは、第２軸受６ｂを保持可能な第２ハウジング２ｄを円筒形状の底面部に備え、回転子７を保持可能な第２円筒部２ｆを外周部に備え、回転電機１の構成部を覆うことが可能な空間を備える。第１外郭フレーム２ａおよび第２外郭フレーム２ｂは、第１軸受６ａおよび第２軸受６ｂを介して軸３に回転可能に取り付けられている。
【００１５】
第１軸受６ａおよび第２軸受６ｂは、軸方向において第１円盤部品５を挟む両側の位置に配置されている。第１軸受６ａは、第１ハウジング２ｃ内に収納されて第１外郭フレーム２ａと軸３との間に位置し、回転電機１が円滑に駆動できるように第１外郭フレーム２ａと軸３とを保持している。第２軸受６ｂは、第２ハウジング２ｄ内に収納されて第２外郭フレーム２ｂと軸３との間に位置し、回転電機１が円滑に駆動できるように第２外郭フレーム２ｂと軸３とを保持している。
【００１６】
軸３は、第１円盤部品５に固定されて回転子７の中心軸に沿って延びる中空軸であり、第１軸受６ａおよび第２軸受６ｂによって回転可能に支持されている。軸３は、回転電機１の重量と、回転電機１の駆動時の回転運動に伴うトルクおよびねじれ等と、に耐えて回転電機１を保持可能な強度を有する。軸３の一端３ａ側は、第１外郭フレーム２ａの外部に突出している。第１外郭フレーム２ａの外部に突出した軸３の一端３ａ側は、図示しない天井扇風機などの製品と結合される。
【００１７】
回転子７は、円筒形状を有し、固定子鉄心４の外周と隙間を介して、固定子鉄心４の外周側、すなわち固定子鉄心４の外側に、軸３を中心として配置されている。回転子７は、固定子鉄心４の外径寸法よりも僅かに大きい寸法の内径を備え、第１外郭フレーム２ａの第１円筒部２ｅの内径寸法および第２外郭フレーム２ｂの第２円筒部２ｆの内径寸法と同じ寸法の外径を備える。なお、第１外郭フレーム２ａの第１円筒部２ｅの内径および第２外郭フレーム２ｂの第２円筒部２ｆの内径と、回転子７の外径とは、締り嵌めまたは中間嵌めの関係にあり、圧入またはカシメによって高精度かつ容易に結合できる。
【００１８】
したがって、回転子７は、圧入またはカシメによって第１外郭フレーム２ａの第１円筒部２ｅおよび第２外郭フレーム２ｂの第２円筒部２ｆに強固に固定されている。これにより、回転子７は、第１外郭フレーム２ａおよび第２外郭フレーム２ｂとともに、第１軸受６ａおよび第２軸受６ｂによって、回転可能に支持されている。
【００１９】
固定子鉄心４は、円筒形状を有し、複数枚の電磁鋼板が軸方向に積層されて構成されて回転子７の内側に回転子７の中心軸と同軸に配置されている。固定子鉄心４は、中心部に第１円盤部品５を圧入保持する円筒形の固定子中心孔４ａが、回転子７の中心軸と同軸に形成されている。固定子中心孔４ａは、固定子鉄心４の中心軸および軸３と同軸とされている。固定子中心孔４ａは、軸３の外径よりも大きな内径を有し、固定子鉄心４の中心部分において軸３が挿通する体積よりも大きな体積を有する。固定子中心孔４ａは、固定子鉄心４において、回転電機１を駆動するために固定子鉄心４に磁路を形成する際に電磁気的に不要な部分に形成されている。また、固定子中心孔４ａは、固定子鉄心４において、磁気回路に与える影響が微量な部分に形成されている。
【００２０】
固定子鉄心４における固定子中心孔４ａの外周側には、円状に分散配置された複数の補助巻線用スロット４ｃが設けられている。また、固定子鉄心４における補助巻線用スロット４ｃよりも外周側には、円状に分散配置された複数の主巻線用スロット４ｂが設けられている。主巻線用スロット４ｂには、固定子鉄心４に磁路を形成できるように、固定子巻線である主巻線８ａが巻回される。同様に、補助巻線用スロット４ｃには、固定子鉄心４に磁路を形成できるように、固定子巻線である補助巻線８ｂが巻回される。
【００２１】
第１円盤部品５は、円盤形状を有し、中心部に軸３を圧入保持する円盤中心孔５ａが形成され、固定子中心孔４ａ内に回転子７の中心軸と同軸に固定される円盤部品である。すなわち、第１円盤部品５は、円環形状を有する。円盤中心孔５ａは、回転子７の中心軸と同軸、すなわち軸３と同軸とされており、軸３の外径寸法と同じの内径寸法を有する。
【００２２】
第１円盤部品５は、第１円盤部品５の一面において円盤中心孔５ａに隣接する領域に、第１円盤部品５の一面から垂直に突出して円盤中心孔５ａの内周に沿って延びる第１支持部５ｂを備える。また、第１円盤部品５は、第１円盤部品５の一面において外周５ｄに隣接する領域に、第１円盤部品５の一面から垂直に突出して第１円盤部品５の外周に沿って延びる第２支持部５ｃを備える。すなわち、第１円盤部品５の内周側に設けられた第１支持部５ｂと第１円盤部品５の外周側に設けられた第２支持部５ｃとは、第１円盤部品５の中心軸方向に沿って突出しており、第１円盤部品５の一面に垂直に同一方向に突出している。なお、第１支持部５ｂと第２支持部５ｃとは、第１円盤部品５の中心軸方向において互いに反対方向に突出してもよい。
【００２３】
第１支持部５ｂは、軸３の外径寸法と同じの内径寸法を有し、円盤中心孔５ａと同じ内径寸法を有する。第２支持部５ｃは、固定子鉄心４の固定子中心孔４ａの内径寸法と同じの外径寸法を有し、第１円盤部品５と同じ外形寸法を有する。
【００２４】
第１円盤部品５の円盤中心孔５ａの内径および第１支持部５ｂの内径と、軸３の外径とは、締り嵌めまたは中間嵌めの関係にあり、圧入またはカシメによって高精度かつ容易に結合できる。すなわち、軸３は、第１円盤部品５の円盤中心孔５ａおよび第１支持部５ｂに圧入固定またはカシメ固定されている。
【００２５】
第１円盤部品５の外周５ｄの直径と、固定子鉄心４の固定子中心孔４ａの内径とは、締り嵌めまたは中間嵌めの関係にあり、圧入またはカシメによって高精度かつ容易に結合できる。すなわち、第１円盤部品５は、固定子鉄心４の固定子中心孔４ａに圧入固定またはカシメ固定されている。
【００２６】
このように、第１円盤部品５の第１支持部５ｂと第２支持部５ｃとは、いずれも結合する対象物と締り嵌めまたは中間嵌めの関係とされることで、圧入またはカシメによって高精度かつ容易に結合する対象物と結合可能とされている。
【００２７】
上記のように構成される回転電機１は、軸３と同軸とされた固定子中心孔４ａが固定子鉄心４に形成されており、第１円盤部品５を用いて軸３と固定子鉄心４とを容易に結合することができる。そして、固定子中心孔４ａは、軸３の外径よりも大きな内径を有し、固定子鉄心４の中心部分において軸３が挿通する体積よりも大きな体積を有する。このため、軸３が固定子鉄心４の中心部分に直接挿通されて固定される場合と比べて、固定子鉄心４に使用される電磁鋼鈑を削減することができ、回転電機１の重量を減らすことができる。これにより、回転電機１は、軽量化を図ることが可能であり、材料費の低減を図るとともに回転電機１の施工性の向上が図れる。
【００２８】
また、軸３が固定子鉄心４の中心部分に直接挿通されて固定される場合には、軸３を挿通させるための固定子鉄心４の中心の孔の内径を軸３の外径よりも大きくしてしまうと、軸３と固定子鉄心４との締結が困難となるため、固定子鉄心４の中心の孔の内径を軸３の外径と同じ寸法にする必要があった。
【００２９】
一方、回転電機１では、第１円盤部品５を用いて軸３と固定子鉄心４とを結合するため、固定子中心孔４ａの孔径を軸３の外径よりも大きな孔径とすることができ、固定子鉄心４の中心部に大きな空洞を設けることができるため、固定子鉄心４に使用される鉄心を削減することができる。
【００３０】
図８は、図４に示す第１円盤部品５の一面上に回転電機１の駆動を補助する電気電子部品が実装された状態を示す斜視図である。図８では、第１円盤部品５の一面上に電気電子部品としてコンデンサ９と電子回路１０とが実装されている。図８に示すように第１円盤部品５の一面上に電気電子部品を実装することにより、固定子鉄心４の固定子中心孔４ａを、第１円盤部品５を用いて軸３と固定子鉄心４とを結合させる用途以外にも有効活用することができる。すなわち、図８に示すように第１円盤部品５の一面上に電気電子部品を実装することで、電気電子部品を回転電機１の外側に配置する場合と比べて、回転電機１の性能を損なうことなく、回転電機１の省スペース化および意匠性の向上を図ることができる。
【００３１】
また、電気電子部品が回転電機１の第１外郭フレーム２ａと第２外郭フレーム２ｂの外部に配置される場合には、電気電子部品を保護する電気電子部品用の外郭が必要となり、回転電機１の構成が複雑になるとともに回転電機１が大型化してしまう。
【００３２】
これに対して、回転電機１は、電気電子部品が固定子鉄心４の固定子中心孔４ａ内に収納されることで、電気電子部品が回転電機１の外郭を構成する第１外郭フレーム２ａと第２外郭フレーム２ｂとに覆われる構造とされている。これにより、回転電機１では、第１外郭フレーム２ａと第２外郭フレーム２ｂとが、電気電子部品を保護する電気電子部品の外郭の役割を兼ねており、電気電子部品用の外郭が不要であり、部品点数を削減することができる。また、電気電子部品用の外郭が無く、第１外郭フレーム２ａと第２外郭フレーム２ｂの形状および大きさは電気電子部品の影響を受けないため、電気電子部品に起因した回転電機１の形状の制約および大型化が防止されている。
【００３３】
また、電気電子部品は固定子鉄心４の固定子中心孔４ａ内に収納されるため、回転子７等の回転物との接触することがなく、回転子７等の回転物との接触を回避するために外郭内部に大きな空間を設ける必要がなく、回転電機１の大型化、意匠性および施工性の悪化が生ることがない。
【００３４】
図９は、図８に示す固定子鉄心４の固定子中心孔４ａが全閉状態とされた状態を示す断面図である。図９では、図８に示す構成に対して円盤部品である第２円盤部品５ｅが追加され、固定子鉄心４の固定子中心孔４ａが第１円盤部品５と第２円盤部品５ｅとにより軸３の方向から塞がれて全閉状態とされた状態を示している。
【００３５】
すなわち、固定子鉄心４の固定子中心孔４ａは、固定子鉄心４の一面４ｄ側が第１円盤部品５によって塞がれており、固定子鉄心４の他面４ｅ側が第２円盤部品５ｅによって塞がれている。これにより、固定子鉄心４の固定子中心孔４ａは、第１円盤部品５と第２円盤部品５ｅとによって、固定子中心孔４ａの中心軸方向の両側から塞がれて全閉状態とされている。第２円盤部品５ｅは、第１円盤部品５と同じ部品が用いられており、第１円盤部品５と同様に固定子鉄心４の固定子中心孔４ａに圧入固定またはカシメ固定される。
【００３６】
このように、２つの円盤部品を用いて固定子鉄心４の固定子中心孔４ａを全閉状態とすることにより、固定子鉄心４の固定子中心孔４ａに収納された電気電子部品を完全に覆うことができ、回転電機１の輸送時および回転電機１の運転時に電気電子部品が移動および脱落することを防ぐことができる。すなわち、電気電子部品が保持された固定子中心孔４ａが複数の円盤部品により閉鎖され、電気電子部品が複数の円盤部品によって挟み込まれた状態とされることで、電気電子部品の脱落防止および位置ずれ防止が可能な構造とされている。
【００３７】
また、第１円盤部品５と第２円盤部品５ｅとを同形状とすることにより、部品の共通化が可能であり、製造工程を簡略化することができる。なお、固定子中心孔４ａを塞ぐための複数の円盤部品は各々異なる形状であってもよい。
【００３８】
上述したように、本実施の形態１にかかる回転電機１は、電気電子部品を内蔵可能な固定子中心孔４ａが固定子鉄心４の中心部分に形成される。また、回転電機１は、固定子中心孔４ａに第１円盤部品５が固定され、軸３が第１円盤部品５に固定されることにより、第１円盤部品５を介して固定子鉄心４と軸３が結合される。そして、固定子中心孔４ａに固定された第１円盤部品５に電気電子部品が実装される。
【００３９】
このような回転電機１は、電気電子部品が固定子鉄心４の固定子中心孔４ａ内に収納されるため、回転電機の外郭を拡張することなく、電気電子部品を回転電機１の外郭の内部に収納することができる。また、回転電機１は、第１外郭フレーム２ａと第２外郭フレーム２ｂとが、電気電子部品を保護する電気電子部品の外郭の役割を兼ねており、電気電子部品用の外郭が不要であり、小型化を図るとともに外郭の部品点数と材料費とを削減することができる。
【００４０】
回転電機１は、軸３が固定子鉄心４の中心部分に直接挿通されて固定される場合と比べて、固定子鉄心４の重量が削減されることで回転電機１が軽量化されるため、固定子鉄心４の材料費の削減と回転電機１の施工性の向上が図れる。
【００４１】
そして、固定子鉄心４において固定子中心孔４ａが形成される部分は、回転電機１を駆動するために電磁気的に不要な部分であるため、回転電機１の性能を低下させること無く上述した効果を得ることができる。
【００４２】
したがって、本実施の形態１にかかる回転電機１は、電気電子部品の収納に起因して外郭の部品点数が増加することがなく小型化が可能なアウターロータ型回転電機を実現可能である、という効果を奏する。
【００４３】
実施の形態２．
図１０は、本発明の実施の形態２にかかる天井扇風機１２０を示す側面図である。天井扇風機１２０は、実施の形態１にかかる回転電機１を製品に実装した例であり、実施の形態１にかかる回転電機１を備えている。製品の仕様上、回転電機１は電動機として利用される。実施の形態２では、上記の実施の形態１と同一の構成要素には同一の符号を付し、実施の形態１とは異なる構成について主に説明する。
【００４４】
天井扇風機１２０は、天井から吊り下げられて設置される。天井扇風機１２０は、回転電機１と、回転電機１の駆動を受けて回転する複数の翼部５１とを備える。複数の翼部５１は、回転電機１と同軸の円周上に位置する。回転電機１と複数の翼部５１とは、天井扇風機１２０の本体を構成する。回転電機１の下側は、カバー５２によって覆われている。シャフト５３は、中空の棒である。シャフト５３は、天井扇風機１２０の本体を支持する。シャフト５３には、回転電機１を支持する支持軸である軸３が繋がれている。シャフト５３の上端は、固定部５４において天井に固定される。商用電源に接続された電源線は、天井からシャフト５３の内部を通されて、回転電機１の電源回路に接続されている。図９では、天井、商用電源および電源回路の図示を省略している。
【００４５】
実施の形態２によると、天井扇風機１２０は、実施の形態１にかかる回転電機１を備えることで、小型化および軽量化が可能となり、製造コストの低減が可能となる。すなわち、回転電機１が小型化および軽量化が可能であるため、カバー５２およびシャフト５３も小型化および軽量化が可能となり、製造コストの低減が可能となる。
【００４６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４７】
１  アウターロータ型回転電機、２ａ  第１外郭フレーム、２ｂ  第２外郭フレーム、２ｃ  第１ハウジング、２ｄ  第２ハウジング、２ｅ  第１円筒部、２ｆ  第２円筒部、３  軸、３ａ  一端、４  固定子鉄心、４ａ  固定子中心孔、４ｂ  主巻線用スロット、４ｃ  補助巻線用スロット、４ｄ  一面、４ｅ  他面、５  第１円盤部品、５ａ  円盤中心孔、５ｂ  第１支持部、５ｃ  第２支持部、５ｄ  外周、５ｅ  第２円盤部品、６ａ  第１軸受、６ｂ  第２軸受、７  回転子、８ａ  主巻線、８ｂ  補助巻線、９  コンデンサ、１０  電子回路、５１  翼部、５２  カバー、５３  シャフト、５４  固定部、１２０  天井扇風機。
【図１】
2020066117.tif 000003
【図２】
2020066117.tif 000004
【図３】
2020066117.tif 000005
【図４】
2020066117.tif 000006
【図５】
2020066117.tif 000007
【図６】
2020066117.tif 000008
【図７】
2020066117.tif 000009
【図８】
2020066117.tif 000010
【図９】
2020066117.tif 000011
【図１０】
2020066117.tif 000012
【手続補正書】
【提出日】令和2年10月16日(2020.10.16)
【手続補正１】
【補正対象書類名】特許請求の範囲
【補正対象項目名】全文
【補正方法】変更
【補正の内容】
【特許請求の範囲】
【請求項１】
円筒形状を有する回転子と、
前記回転子の中央に固定されて前記回転子の中心軸に沿って延びる軸と、
前記回転子を内部に収容する外郭と、
前記軸の外径よりも大きな内径を有する固定子中心孔が前記回転子の中心軸と同軸に形成されて、前記回転子の内側に配置される固定子鉄心と、
前記固定子中心孔内に前記回転子の中心軸と同軸に固定される円盤部品と、
前記円盤部品に保持される電気電子部品と、
を備え、
前記円盤部品は、厚さが均一な板状の断面を有すること、
を特徴とするアウターロータ型回転電機。
【請求項２】
前記円盤部品は、前記回転子の中心軸と同軸に形成された円盤中心孔と、前記円盤中心孔の内周に沿って延びる第１支持部と、前記円盤部品の外周に沿って延びる第２支持部と、を備え、
前記軸は、前記円盤中心孔および前記第１支持部に圧入固定またはカシメ固定により固定されることで、前記円盤部品に固定されており、
前記円盤部品は、前記固定子中心孔に圧入固定またはカシメ固定により固定されることで、前記固定子鉄心に固定されていること、
を特徴とする請求項１に記載のアウターロータ型回転電機。
【請求項３】
前記第１支持部は、前記軸の外径寸法と同じ内径寸法を有し、
前記第２支持部は、前記固定子中心孔の内径寸法と同じ外径寸法を有すること、
を特徴とする請求項２に記載のアウターロータ型回転電機。
【請求項４】
前記電気電子部品が保持された前記固定子中心孔が、複数の前記円盤部品により閉鎖されていること、
を特徴とする請求項１から３のいずれか１つに記載のアウターロータ型回転電機。
【請求項５】
請求項１から４のいずれか１つに記載のアウターロータ型回転電機と、
前記アウターロータ型回転電機の駆動を受けて回転する翼部と、
を備えることを特徴とする天井扇風機。
【手続補正２】
【補正対象書類名】明細書
【補正対象項目名】０００８
【補正方法】変更
【補正の内容】
【０００８】
上述した課題を解決し、目的を達成するために、本発明にかかるアウターロータ型回転電機は、円筒形状を有する回転子と、回転子の中央に固定されて回転子の中心軸に沿って延びる軸と、回転子を内部に収容する外郭と、軸の外径よりも大きな内径を有する固定子中心孔が回転子の中心軸と同軸に形成されて、回転子の内側に配置される固定子鉄心と、を備える。また、アウターロータ型回転電機は、固定子中心孔内に回転子の中心軸と同軸に固定される円盤部品と、円盤部品に保持される電気電子部品と、を備える。円盤部品は、厚さが均一な板状の断面を有する。
【手続補正３】
【補正対象書類名】明細書
【補正対象項目名】００３３
【補正方法】変更
【補正の内容】
【００３３】
また、電気電子部品は固定子鉄心４の固定子中心孔４ａ内に収納されるため、回転子７等の回転物と接触することがなく、回転子７等の回転物との接触を回避するために外郭内部に大きな空間を設ける必要がなく、回転電機１の大型化、意匠性および施工性の悪化が生じることがない。
【手続補正４】
【補正対象書類名】明細書
【補正対象項目名】００４４
【補正方法】変更
【補正の内容】
【００４４】
天井扇風機１２０は、天井から吊り下げられて設置される。天井扇風機１２０は、回転電機１と、回転電機１の駆動を受けて回転する複数の翼部５１とを備える。複数の翼部５１は、回転電機１と同軸の円周上に位置する。回転電機１と複数の翼部５１とは、天井扇風機１２０の本体を構成する。回転電機１の下側は、カバー５２によって覆われている。シャフト５３は、中空の棒である。シャフト５３は、天井扇風機１２０の本体を支持する。シャフト５３には、回転電機１を支持する支持軸である軸３が繋がれている。シャフト５３の上端は、固定部５４において天井に固定される。商用電源に接続された電源線は、天井からシャフト５３の内部を通されて、回転電機１の電源回路に接続されている。図１０では、天井、商用電源および電源回路の図示を省略している。
【手続補正５】
【補正対象書類名】明細書
【補正対象項目名】００４５
【補正方法】変更
【補正の内容】
【００４５】
実施の形態２によると、天井扇風機１２０は、実施の形態１にかかる回転電機１を備えることで、小型化および軽量化が可能となり、製造コストの低減が可能となる。すなわち、回転電機１の小型化および軽量化が可能であるため、カバー５２およびシャフト５３も小型化および軽量化が可能となり、製造コストの低減が可能となる。
【国際調査報告】
2020066117.tif 000013
2020066117.tif 000014
2020066117.tif 000015
2020066117.tif 000016